(57)【要約】【課題】水面積に対する人工浮島の面積率が小さくても植物プランクトンの増殖を有効に抑制して水質浄化機能を高めることの可能な人工浮島を提供する。【解決手段】植生基盤１０と、この植生基盤１０を水に浮かせた状態に支持する支持手段２０，３０とからなる人工浮島１であって、前記植生基盤１０に、植物プランクトンの増殖を抑制するアレロパシー物質を放出する抽水植物４０を植栽したことを特徴とする。この人工浮島１によれば、遮光機能に加え、人工浮島１の植生基盤１０に植栽された抽水植物４０がその根茎４１から放出するアレロパシー物質によって、アオコの発生原因となる藍藻類のMicrocystisの増殖が有効に抑制される機能、比表面積が大きい多孔質の植生基盤への植物プランクトンや懸濁物質の付着、接触沈殿機能、動物プランクトンの増加による植物プランクトンの捕食機能による複合的な浄化機能によって、水面積に対して5％程度の面積の人工浮島で、植物プランクトンの増殖を抑制して水質を浄化することができる。【選択図】図２
2010213578.tif 000002
【特許請求の範囲】
【請求項１】
植生基盤と、この植生基盤を水に浮かせた状態に支持する支持手段とからなる人工浮島であって、前記植生基盤に、植物プランクトンの増殖を抑制するアレロパシー物質を放出する抽水植物を植栽したことを特徴とする人工浮島。
【請求項２】
支持手段が所要数のフロートからなることを特徴とする請求項１に記載の人工浮島。
【請求項３】
支持手段が植生基盤と水底との間を繋留する繋留具又は繋留杭からなることを特徴とする請求項１に記載の人工浮島。
【請求項４】
植生基盤が、三次元網目構造で、比表面積が1,000〜2,000ｍ2/ｍ3，連続空隙率が80％以上の多孔質材からなることを特徴とする請求項１に記載の人工浮島。
【請求項５】
植生基盤が、7.5〜20ｃｍの厚さに形成されたことを特徴とする請求項１に記載の人工浮島。
【請求項６】
植生基盤を、表面が5ｃｍ〜15ｃｍの水深となるように水没させると共に植生基盤上を水が流通可能としたことを特徴とする請求項１に記載の人工浮島。
【請求項７】
植生基盤が、支持手段に固定されたフレームにネットを張った構造の支持体で支持されたことを特徴とする請求項１に記載の人工浮島。
【請求項８】
植生基盤への抽水植物の植栽が、織布又は不織布からなるポットに充填された土壌に苗株を植え付けた構造のポット苗を植生基盤に設置することによりなされたものであることを特徴とする請求項１に記載の人工浮島。
【発明の詳細な説明】
【技術分野】
【０００１】
本発明は、植物を栽培した人工浮島を用いて植物プランクトンの増殖を抑制することにより水質を浄化する技術に関する。
【背景技術】
【０００２】
従来、湖沼などの水質を浄化する方法として、植栽した人工浮島を用いる技術が知られている。
【０００３】
この種の人工浮島に植栽する抽水植物としては、景観や流域で採取可能かにより選定されており、具体的には、キショウブ、ハナショウブ、カキツバタ、セキショウ、ヨシ、ガマ、ミクリなどが好適に用いられている。
【０００４】
また従来、この種の人工浮島の構造は、浮体（フロート）と植生基盤とを分離した構造か一体化した構造の２種類に分類される。このうち、浮体と植生基盤とを分離した構造のものは、例えば下記の特許文献１に開示されているように、植生基盤の周囲に中空パイプ又は水に浮く素材のフレーム状のフロートを設け、このフロートにネットを設置して、フロート内の植生基盤を支持する方法や、あるいは、下記の特許文献２に開示されているように、発砲スチロールや中空コンクリート箱などの浮体上に土壌やヤシ繊維などの植生基盤を設ける方法が知られている。
【０００５】
また、フロートと植生基盤を一体とする方法は、例えば下記の非特許文献１，２のように、ヤシ繊維などの軽量な植生基盤内に発泡スチロールなどのフロートを設置する方法が知られている。
【先行技術文献】
【特許文献】
【０００６】
【特許文献１】特開平７−７９６５２号公報
【特許文献２】特開平６−３４３３５８号公報
【非特許文献】
【０００７】
【非特許文献１】パンフレット「バイオコズモ」，ゼニヤ海洋サービス（株）
【非特許文献２】パンフレット「ビオシスアイランド」，トスコ（株），2000年4月
【発明の概要】
【発明が解決しようとする課題】
【０００８】
しかしながら、従来の人工浮島による植物プランクトンの増殖抑制機能は、水面を遮蔽することによる遮光効果を利用することが主体であり、植物の種類や植生基盤構造に対する植物プランクトンの増殖抑制をはじめとした水質浄化機能が充分考慮されていなかった。このため、湖沼等の植物プランクトンの増殖を有効に抑制するためには水面積の15〜30％以上の面積の人工浮島が必要であった。
【０００９】
また、従来の人工浮島は、植生基盤が水面から露出する構造のものが多いため、夏季に植生基盤の表面が高温となり、抽水植物の生育に悪影響が出ることがあった。あるいは特許文献１のような構造の場合も、フロートで囲まれた植生基盤の表面の水温が夏季に上昇し、植物の生育に悪影響が出るおそれがあった。
【００１０】
本発明は、以上のような点に鑑みてなされたものであって、その技術的課題とするところは、水面積に対する人工浮島の面積率が小さくても植物プランクトンの増殖を有効に抑制して水質浄化機能を高めることの可能な人工浮島を提供することにある。
【課題を解決するための手段】
【００１１】
上述した技術的課題を有効に解決するための手段として、請求項１の発明に係る人工浮島は、植生基盤と、この植生基盤を水に浮かせた状態に支持する支持手段とからなる人工浮島であって、前記植生基盤に、植物プランクトンの増殖を抑制するアレロパシー物質を放出する抽水植物を植栽したことを特徴とするものである。ここでいうアレロパシー物質は、アオコの発生原因となる藍藻類のMicrocystisの増殖を抑制する作用を有するものであって、発明者の研究により、特に、ヒメガマ、ヨシ、クサヨシ、マコモ、フトイ、カンガレイ、カキツバタ、ハナショウブ、カサスゲから選択される抽水植物の放出するアレロパシー物質が、Microcystisの増殖の抑制に有効であることが確認された。
【００１２】
請求項２の発明に係る人工浮島は、請求項１に記載の構成において、支持手段が所要数のフロートからなることを特徴とするものである。
【００１３】
請求項３の発明に係る人工浮島は、請求項１に記載の構成において、支持手段が植生基盤と水底との間を繋留する繋留具又は繋留杭からなることを特徴とするものである。
【００１４】
請求項４の発明に係る人工浮島は、請求項１に記載の構成において、植生基盤が、三次元網目構造で、比表面積が1,000〜2,000ｍ2/ｍ3，連続空隙率が80％以上の多孔質材からなることを特徴とするものである。
【００１５】
請求項５の発明に係る人工浮島は、請求項１に記載の構成において、植生基盤が、7.5〜20ｃｍの厚さに形成されたことを特徴とするものである。
【００１６】
請求項６の発明に係る人工浮島は、請求項１に記載の構成において、植生基盤を、表面が5ｃｍ〜15ｃｍの水深となるように水没させると共に植生基盤上を水が流通可能としたことを特徴とするものである。
【００１７】
請求項７の発明に係る人工浮島は、請求項１に記載の構成において、植生基盤が、支持手段に固定されたフレームにネットを張った構造の支持体で支持されたことを特徴とするものである。
【００１８】
請求項８の発明に係る人工浮島は、請求項１に記載の構成において、植生基盤への抽水植物の植栽が、織布又は不織布からなるポットに充填された土壌に苗株を植え付けた構造のポット苗を植生基盤に設置することによりなされたものであることを特徴とする。
【発明の効果】
【００１９】
請求項１〜３の発明に係る人工浮島によれば、人工浮島による遮光機能に加え、人工浮島の植生基盤に植栽された抽水植物がその根茎から放出するアレロパシー物質によって、アオコの発生原因となる藍藻類のMicrocystisの増殖が有効に抑制されるため、水質を浄化することができる。
【００２０】
請求項４の発明に係る人工浮島によれば、植生基盤を、比表面積が1,000〜2,000ｍ2/ｍ3，連続空隙率が80％以上の多孔質材からなる三次元網目構造としたことによって、抽水植物の根茎が発達しやすく、根茎から発生するアレロパシー物質を水中に放出しやすく、水が根茎に接触しやすくなるため、請求項１による効果を向上することができる。また、植物プランクトンや懸濁物質の付着、接触沈殿機能、動物プランクトンの増加による植物プランクトンの捕食機能が得られるため、アレロパシー効果との複合的な浄化機能によって、水面積に対して5％（従来の人工浮島の1/6〜1/3）程度の面積の人工浮島で、植物プランクトンの増殖を抑制して水質を浄化することができる。
【００２１】
請求項５の発明に係る人工浮島によれば、植生基盤を、7.5〜20ｃｍの厚さに形成したことによって、地下茎が発達して群落を形成する抽水植物の生育に適したものとなるほか、植物プランクトンの接触沈殿効果や、植物プランクトンを捕食する動物プランクトンの増加に適するので、請求項１による効果を向上することができる。
【００２２】
請求項６の発明に係る人工浮島によれば、植生基盤を、その表面が5ｃｍ〜15ｃｍの水深となるように水没させると共に植生基盤上で水が流通可能とすることによって、夏季の植生基盤又は表面水温の上昇を抑制すると共に、陸上雑草の繁茂による抽水植物の生育阻害を防止することができるため、請求項１による効果を向上することができる。
【００２３】
請求項７の発明に係る人工浮島によれば、植生基盤が、支持手段に固定されたフレームにネットを張った構造の支持体で支持されたことによって、植物プランクトン等の懸濁物を含んだ水を効率よく植生基盤材に接触させることができ、アレロパシー物質が水中に放出されやすくなるほか、前記懸濁物が植生基盤材の表面に付着し沈降しやすい大きさに凝集してその沈降を促進させることができるので、請求項１による効果を向上することができる。
【００２４】
請求項８の発明に係る人工浮島によれば、抽水植物の苗株が生育しやすくなるので、請求項１による効果を向上することができる。
【図面の簡単な説明】
【００２５】
【図１】本発明に係る人工浮島の第一の形態を示す平面図である。
【図２】図１のII−II’断面図である。
【図３】図１のIII−III’断面図である。
【図４】植生基盤への抽水植物の苗株の植え付け方法を示す説明図である。
【図５】本発明に係る人工浮島の第二の形態を示す平面図である。
【図６】図５のＶ−Ｖ’断面図である。
【図７】本発明に係る人工浮島の第三の形態を示す平面図である。
【図８】図７のVII−VII’断面図である。
【図９】図７のVIII−VIII’断面図である。
【図１０】本発明に係る人工浮島の第四の形態を示す平面図である。
【図１１】本発明に係る人工浮島の第五の形態を示す平面図である。
【図１２】抽水植物によるアレロパシー効果を確認するための室内試験の方法を示す説明図である。
【図１３】アレロパシー効果を確認するための室内試験の結果を示す説明図である。
【図１４】アレロパシー効果を確認するための現地調査の結果を示す説明図である。
【図１５】抽水植物の苗株の植え付けに際して、土壌の有無が抽水植物の生育に及ぼす影響を把握するための屋外栽培試験の結果を示す説明図である。
【図１６】抽水植物の苗株の植え付けに際して、土壌の有無が抽水植物の生育に及ぼす影響を把握するための現地調査による試験の結果を示す説明図である。
【図１７】現地調査による人工浮島の下の新生堆積物を調査した結果を示す説明図である。
【図１８】現地調査による人工浮島の下の新生堆積物を調査した結果を示す説明図である。
【図１９】植物プランクトンの捕食・分解効果のある動物プランクトンの増加について現地調査した結果を示す説明図である。
【図２０】本発明の人工浮島による実証試験開始後のＣｈｌ-ａ濃度の経時変化を示す説明図である。
【発明を実施するための形態】
【００２６】
以下、本発明に係る人工浮島の好ましい実施の形態について、図面を参照しながら詳細に説明する。まず図１〜図３は、第一の形態を示すものである。
【００２７】
図１〜図３に示されるように、第一の形態による人工浮島１は、植生基盤１０と、この植生基盤１０を水に浮かせる水上フロート２１及び水中フロート２２からなるフロート２０と、このフロート２０を前記植生基盤１０に連結する固定部材３０からなる。すなわち、植生基盤１０は、固定部材３０を介して水上フロート２１及び水中フロート２２により適当な水深ｄ（図３参照）で水Ｗに浮いた状態に支持されており、植生基盤１０には、植物プランクトンの増殖を抑制するアレロパシー物質を放出する抽水植物４０が植栽されている。
【００２８】
人工浮島１による水質浄化に有効な作用としては、遮光作用のほか、植生基盤１０に植栽した抽水植物４０によるアレロパシー作用や、植物プランクトン等の懸濁物質の接触沈殿作用、及び動物プランクトンの増加による植物プランクトンの捕食・分解作用が挙げられる。
【００２９】
これらの作用を最大限に発揮させるため、本発明では、アオコの発生原因となる藍藻類のMicrocystisの増殖を抑制するアレロパシー物質を放出する抽水植物４０を選定し、植生基盤１０に植栽する。Microcystisの増殖を抑制するアレロパシー効果を有する抽水植物４０としては、ヒメガマ，ヨシ，クサヨシ，マコモ，フトイ，カンガレイ，カキツバタ，ハナショウブ，カサスゲなどがあり、これらの中から、浄化対象水域で入手して移植可能なものや、圃場等で栽培して使用する。
【００３０】
植生基盤１０としては、比表面積の大きい多孔質材を使用することにより、水中の懸濁物質が付着する面積が増え、付着した懸濁物が沈降しやすい大きさに凝集するので、沈降を促進することができる。具体的には、植生基盤１０には、比表面積が1,000〜2,000ｍ2/ｍ3、連続空隙率が80％以上で、対候性の高いポリエステル製又は塩化ビニール製の繊維からなるマット状のものを使用する。
【００３１】
また、植生基盤１０への抽水植物４０の植栽は、図４に示されるように、織布又は不織布からなるポット１１に市販の園芸用土などからなる土壌１２を充填して、この土壌１２に抽水植物の苗株４０ａを植え付け、これを図１に示されるように植生基盤１０に縦横に設置することによりなされる。これは、ポット１１を用いて植え付けることによって、植生基盤１０の活着率が格段に向上するからである。植え付けられた抽水植物４０は、図２及び図３に示されるように、根茎４１が前記ポット１１を通して植生基盤１０へ、さらには植生基盤１０から水中へ伸びていくことができる。
【００３２】
ここで、植生基盤１０の連続空隙率が80％未満であったり空隙サイズが細か過ぎたりした場合は、沈降した汚泥が植生基盤１０内に堆積して目詰まりを起こすのに対し、連続空隙率を80％以上とすることにより、植生基盤１０内の汚泥の堆積を防止し、水Ｗとの接触効率を維持することができる。また、連続空隙率80％以上を確保でき、植生基盤１０の強度が抽水植物４０の倒伏に耐える繊維強度を考慮すると、植生基盤１０の樹脂量は16ｋｇ/ｍ3以上とすることが必要である。また、その場合の比表面積は1,000ｍ2/ｍ3である。つまり、比表面積が1,000ｍ2/ｍ3未満である場合は、植生基盤１０が軟らか過ぎて、成長した抽水植物４０が風荷重により倒伏するおそれがある。また逆に、比表面積が2,000ｍ2/ｍ3を超えると、植生基盤１０の連続空隙サイズが細かくなりすぎ、懸濁物が目詰まりしやすくなる。したがって、植生基盤１０には、比表面積が1,000〜2,000ｍ2/ｍ3、連続空隙率が80％以上のものを使用する。
【００３３】
フロート２０（水上フロート２１及び水中フロート２２）は、例えば、塩化ビニール製のパイプ、あるいは繊維強化プラスチックからなるパイプ等で形成されたものであって、中空であるため浮力が十分に大きいものとなっている。このうち水上フロート２１は、図１に示されるように、平面形状が正方形又は長方形状を呈する植生基盤１０の互いに対向する２辺に沿って、その長さと略同等の長さのものが一対配置されており、水中フロート２２は水上フロート２１と略直交するように延び、図２及び図３に示されるように、植生基盤１０の下側で水中に没した状態に一対配置されている。
【００３４】
固定部材３０は、植生基盤１０の外周部を支持する溶融亜鉛メッキ鋼製の外周フレーム３１と、この外周フレーム３１の下面に平面的に張られ、ポリエチレン等の合成樹脂製や防錆塗装した鋼製あるいはステンレス製などの目合25〜100ｍｍのネット３２と、このネット３２が下方へ撓まないように外周フレーム３１の下面に架設された溶融亜鉛メッキ鋼製の所要数の梁状フレーム３３と、外周フレーム３１に水上フロート２１を取り付ける溶融亜鉛メッキ鋼製の水上フロート取付部材３４と、梁状フレーム３３の下側に水中フロート２２を取り付ける溶融亜鉛メッキ鋼製の水中フロート取付部材３５とを備える。そしてこのような構造の固定部材３０で植生基盤１０を支持することで、植生基盤１０が水中に没した状態に設置され、植物プランクトン等の懸濁物を含んだ水Ｗを効率よく植生基盤１０に接触できるようになっている。
【００３５】
また、水上フロート２１が配置されていない側から、浄化対象の水域の水Ｗが植生基盤１０上に自由に流通することができるため、水中の植物プランクトン等の懸濁物質が植生基盤１０の表面に沈降すると共に、繁茂した抽水植物４０に付着・沈降する作用が促進される。
【００３６】
好ましくは、植生基盤１０の上面が水深5〜15ｃｍとなるようにする。これは、水深ｄが15ｃｍを超えると抽水植物４０の生育に悪影響が出やすくなり、5ｃｍ未満では、植生基盤１０の上面を水Ｗが流れにくくなって、水中の植物プランクトン等の懸濁物質が植生基盤１０に沈降して抽水植物４０に付着・沈降する作用が得られなくなったり、夏季に植生基盤１０上の水温が上昇して抽水植物４０の生育に悪影響が出るおそれがあるからである。
【００３７】
以上のような構成を備える第一の形態の人工浮島１によれば、自然湖沼、ため池、都市公園等の閉鎖性水域で、アオコ形成藍藻類のMicrocystis等の植物プランクトンが異常増殖することによって、水質が汚濁している状況に対して、効率よく水質の浄化を図ることができる。これは、植生基盤１０に植栽した抽水植物４０の根茎４１から水中へ放出されるアレロパシー物質が、前記Microcystis等の植物プランクトンの増殖を抑制すると共に、前記植物プランクトン等の懸濁物質が植生基盤１０に沈降して抽水植物４０に付着・沈降し、このためアオコなどの発生が抑えられるからである。しかも、比表面積の大きい三次元網目構造体からなる植生基盤１０の表面や空隙内にミジンコやワムシ等の動物プランクトンや、バクテリアが棲息し、これらの微小動物が植物プランクトン等を捕食し、分解する機能が向上するからである。
【００３８】
したがって、浄化対象となる閉鎖性水域の水面積の5％〜10％の面積の人工浮島１でも、透明度を改善し、有機汚濁を防止すると共に、栄養塩濃度を低減することができる。
【００３９】
次に、図５及び図６は、本発明に係る人工浮島の第二の形態を示すものである。この第二の形態による人工浮島１も、植生基盤１０と、この植生基盤１０を水Ｗに浮かせるフロート２０と、このフロート２０を前記植生基盤１０に連結する固定部材３０からなる。すなわち、植生基盤１０は、固定部材３０を介してフロート２０により適当な水深で水Ｗに浮いた状態に支持されており、植生基盤１０には、植物プランクトンの増殖を抑制するアレロパシー物質を放出する抽水植物４０が植栽されている。
【００４０】
フロート２０は、植生基盤１０の外周縁に沿ってその上部を枠状に延びる水上フロート２３及び水中フロート２４からなり、上下に適当な間隔をもってバンド２５で互いに結合されている。
【００４１】
水中フロート２４には、図６に示されるように、固定部材３０として硬質のネットで形成したかご３６が取り付けられており、植生基盤１０は、このかご３６内に設置されている。すなわち植生基盤１０はフロート２０の浮力によって、かご３６を介して支持されることで、植生基盤１０が水中に没した状態に設置され、植物プランクトン等の懸濁物を含んだ水Ｗを効率よく植生基盤１０に接触できるようになっている。
【００４２】
そしてこの場合、図６に示されるように水中フロート２４は水没した状態にあり、水上フロート２３との間の隙間δから、浄化対象の水域の水Ｗが植生基盤１０上に自由に流通することができるようになっており、この場合も、植生基盤１０の上面が水面下5〜15ｃｍとなるようにする。このため、水中の植物プランクトン等の懸濁物質が植生基盤１０の表面に沈降すると共に、繁茂した抽水植物４０に付着・沈降する作用が促進される。
【００４３】
なお、植生基盤１０は、先に説明した第一の形態と同様のものであり、抽水植物４０の植栽方法なども、第一の形態と同様に行うことができる。したがって、第一の形態と同様の作用・効果が実現できる。
【００４４】
次に、図７〜図９は、本発明に係る人工浮島の第三の形態を示すものである。この第三の形態において先に説明した第一の形態と異なるところは、フロート２０における水上フロート２１が、平面形状が正方形又は長方形状を呈する植生基盤１０の四隅近傍に配置されたことにある。その他の部分の構成は、基本的に第一の形態と略同等であり、第一の形態と同様の作用・効果が実現できる。
【００４５】
次に図１０は、本発明に係る人工浮島の第四の形態を示すものである。上述の各形態では、フロート２０が水上フロート２１（２３）及び水中フロート２２（２４）からなるものであるのに対し、第四の形態ではフロート２０が水中フロート２２のみからなり、水底（池や沼の底部地盤）Ｇに打ち込んだアンカー５１と、下端がこのアンカー５１繋着され上端が固定部材３０に繋着された繋留ロープ５２とからなる繋留具５０を介して、適当な水深ｄ（先に説明したように、5〜15ｃｍ）で水Ｗに浮いた状態に繋留している。その他の部分は、基本的に第一の形態と略同様に構成することができる。
【００４６】
また図１１は、本発明に係る人工浮島の第五の形態を示すものである。この形態は、上記第四の形態における繋留具５０に代えて、水底Ｇに打ち込んだ繋留杭６０によって、植生基盤１０を介して、適当な水深ｄで水Ｗに浮いた状態に繋留している。その他の部分は、基本的に第一の形態と略同様に構成することができる。
【００４７】
そして、これら第四又は第五の形態によれば、繋留具５０又は繋留杭６０によって水底Ｇからの浮上高さが一定に保たれるので、水位が一定の池沼において、植生基盤１０の上面の水深ｄを一定とする手段として好適に採用可能である。
【００４８】
本発明の人工浮島による効果を確認するための種々の実証試験を行ったので、以下に説明する。
【００４９】
実証試験１：
抽水植物によるアレロパシー効果を確認するための室内試験を行った。この試験では、抽水植物としてキショウブ、ハナショウブ、カキツバタ、セキショウ、カンガレイ、フトイ、クサヨシ、マコモ、マツカサススキ、ヒメガマの１０種類を用いた。
【００５０】
試験の方法は、図１２に示されるように、バケツ１０１内に水１０３を入れ、その上に植生基盤１０２を設置し、抽水植物１０４をポット植えにより栽培した後、バケツ１０１及び植生基盤１０２を洗浄し、バケツ１０１内の培地（水１０３）を交換してビニールハウス内で１週間栽培した。１週間後、前記水１０３を0.25μｍの濾紙で濾過した水を使用し、バイオアッセイ手法によりアオコ形成藍藻類のMicrocystisの比増殖速度を調査することによって、アレロパシーによる増殖抑制効果があるかを確認した。
【００５１】
この試験の結果、図１３に示されるように、マツカサススキ、キショウブ、セキショウを栽培した水では、アレロパシー効果のないことが確認されている対照植物との比較において、アオコ形成藍藻類の比増殖速度の有意な低下はみられないが、ヒメガマ、クサヨシ、ハナショウブ、フトイ、マコモ、カキツバタ、カンガレイを栽培した水では比増殖速度が有意に低下することが確認された。とくに、フトイは著しいアレロパシー効果を有することがわかった。
【００５２】
実証試験２：
抽水植物によるアレロパシー効果を確認するための現地試験を行った。試験の方法は、蓮田市山ノ神沼に設置した隔離水界（1,000ｍ2，平均水深：約1.2ｍ）内に設置した人工浮島の抽水植物の根茎付近、人工浮島のない隔離水界内、及び隔離水界外の池沼で採水し、実施例１と同様にバイオアッセイ手法によりアオコ形成藍藻類のMicrocystisの比増殖速度を調査することによって、アレロパシーによる増殖抑制効果を確認した。なお、人工浮島としては、ヨシを植栽したもの、ヒメガマを植栽したもの、マコモを植栽したもの、カサスゲを植栽したものの４種類の人工浮島を用いた。
【００５３】
この試験の結果、図１４に示されるように、４種類の抽水植物を植栽した人工浮島のいずれにもアレロパシー効果が確認され、人工浮島のない水域や隔離水界外では効果が見られなかった。そしてこれら４種類の抽水植物のうち、カサスゲが最も大きなアレロパシー効果を有するという結果が得られた。
【００５４】
実証試験３
地下茎の発達に適した植生基盤の厚さを調査するため、屋外に設置したプール（2ｍ×3ｍ，水深約50ｃｍ）に、厚さが10ｃｍ，15ｃｍ，20ｃｍでそれぞれ平面形状が30ｃｍ×30ｃｍの正方形の植生基盤に抽水植物をポット植えし、栽培試験を行った。抽水植物は、カンガレイ、フトイ、ヨシ、ヒメガマ、マコモの５種類とした。
【００５５】
試験結果、抽水植物の根茎は、種類により植生基盤の側面から出ているものが見られ、植生基盤表面からの深度でヨシは12〜15ｃｍ，ヒメガマは10〜15ｃｍ，マコモは5〜16ｃｍの深さで根茎が成長することがわかった。すなわち試験結果から、地下茎が発達する抽水植物の根茎は、5ｃｍ〜16ｃｍの深度に分布することがわかった。したがって、植生基盤の厚さは、植物の種類に応じて7.5ｃｍ（植物ポット苗の大きさ以上）〜20ｃｍ（基盤表面から地下茎が発達する深度）程度とすることが好ましいことが確認された。
【００５６】
実証試験４：
抽水植物の苗株の植え付けに際して、土壌の有無が抽水植物の生育に及ぼす影響を把握するための屋外栽培試験を行った。試験の方法は、屋外に設置したプール（2ｍ×3ｍ，水深：約50ｃｍ）に、土壌を充填したヤシ繊維ポットに抽水植物の苗株を植え付けたポット苗と、ポット及び土壌なしの苗株をそれぞれ植生基盤材に設置し、苗株の成長量を測定した。抽水植物は、カンガレイ、フトイ、マコモ、キショウブの４種類とした。
【００５７】
試験の結果、植栽して２年経過後の植物体の乾燥重量（各２株の平均値）を測定したところ、図１５に示されるように、ヤシポットに土壌を充填して植栽した苗株は、土壌なしの場合と比較して地上部、根茎いずれも成長量に著しい差が見られ、苗株に土壌ポットが有効であることが確認された。
【００５８】
実証試験５：
また、実際の池沼の植生浮島に抽水植物の苗株を植え付けるに際して、土壌の有無が抽水植物の生育に有効かを確認するための現地調査による試験を行った。この試験では、蓮田市山ノ神沼に設置した隔離水界（1,000ｍ2，平均水深：約1.2ｍ）内に設置した人工浮島の抽水植物の活着率を調査した。なお、人工浮島としては、ヨシを植栽したもの、ヒメガマを植栽したもの、マコモを植栽したもの、カサスゲを植栽したものの４種類の人工浮島を用いた。
【００５９】
試験の結果、図１６に示されるように、抽水植物は４種類とも土壌ポットで植栽した方が活着率はよく、土壌を用いないものはマコモ以外の植物の活着率が極端に悪化することがわかった。
【００６０】
実証試験６：
浮泥が堆積し微細藻類（優占種Chroococcus sp.）が異常増殖した富栄養池沼である蓮田市山ノ神沼内に、遮水シートで締め切った隔離水域（15ｍ2）を５基設置し、それぞれの隔離水域に、表１のように、構造の異なる人工浮島（1.5ｍ2/１基）を設置し（人工浮島には比表面積が1,556ｍ2/ｍ3、連続空隙率98％、厚さが7.5ｃｍと15ｃｍのポリエステル製の植生基盤を用いた）、各人工浮島の下の新生堆積物を調査した。新生堆積物の調査は、週２回の頻度で約２ヶ月間実施し、セディメントトラップ内の水質と調査時に採取した隔離水界内の水質との差より測定した。
【表１】
2010213578.tif 000003
【００６１】
新生堆積物速度は、水質の影響を強く受けることから、水質と堆積物速度との比を堆積物速度指数ＳＶＩ（水質（ｇ・ｍ-3）/堆積物速度(ｇ・ｍ-2・ｄ-1)：単位水量の物質を堆積するのに必要な日数(ｄ・ｍ-1)）として、浮島構造の違いによる懸濁物質の沈降促進効果を評価した。その結果、ＳＳ（懸濁物質）及びＣｈｌ-ａ（クロロフィル−ａ）のＳＶＩと隔離水界内の濃度との関係を図１７及び図１８に示すように、各試験区の近似曲線を比較すると、ＳＳ及びＣｈｌ-ａ共に人工浮島なし（１区）と比較して２区〜５区ではＳＶＩが削減され、沈降促進効果が見られた。特に、吊り接触材（５区）のＳＶＩ削減効果が高かった。人工浮島が多孔質樹脂マットからなる植生基盤を用いた２区〜４区では、ＳＳについては植生基盤を水面に設置した４区のＳＶＩ削減効果が高かったが、Ｃｈｌ-ａは水没させた２区及び３区のＳＶＩ削減効果が高かった。また、植生基盤の厚さが15cmの３区の方が、7.5cmの２区と比較してＳＶＩ削減効果がいずれの項目も若干高かったが、顕著な効果の差異は見られなかった。
【００６２】
すなわち、植生基盤の厚さが7.5ｃｍと15ｃｍのいずれの人工浮島を設置した場合も、人工浮島のない隔離水域（１区）と比較して新生堆積物速度は増加したが、植生基盤の厚さが２倍違うにも拘わらず、新生堆積物速度に大きな差異は見られなかった。このことから、植生基盤の密度（比表面積）及び植生基盤の厚さは、単位面積当たりの基盤密度が高すぎても基盤内に懸濁物が蓄積し、接触沈殿が起きにくくなり、単位面積当たりの基盤密度が低すぎても効果が低下することが確認された。このことから、植生基盤の比表面積は1,000〜2,000ｍ2/ｍ3が適切と考えられ、植生基盤の厚さが7.5ｃｍを超える場合は考慮する必要はないことがわかる。
【００６３】
実証試験７：
また、動物プランクトンの増加による植物プランクトンの捕食・分解効果について検証した。その方法としては、蓮田市山ノ神沼内に、下記のような１区〜５区の隔離水域（1,000ｍ2）を設け、２区〜５区については、植生基盤の厚さ及び植栽条件のなるポリエステル製多孔質マット（比表面積1,556ｍ2/ｍ3，連続空隙率98％，45ｃｍ×50ｃｍ）を植生基盤表面の水深が約5ｃｍになるように設置し、約１年後の夏に回収して植生基盤内の動物プランクトンを洗い出し、目合0.1ｍｍのプランクトンネットで捕集した動物プランクトンを全量定量分析し、植生基盤の厚さ及び植物の有無による動物プランクトンの現存量の差異を調査した。
１区：浮島なし
２区：植生基盤75ｍｍ厚
３区：植生基盤150ｍｍ厚
４区：植生基盤75ｍｍ厚，マコモ４株植栽
５区：植生基盤75ｍｍ厚，ヨシ４株植栽
【００６４】
調査の結果、図１９に示されるように、人工浮島の植生基盤内には、人工浮島がない水域（１区）と比較して動物プランクトンが種類・個体数いずれも著しく増加した。また、植生基盤の厚さが75ｍｍ（２区）と150ｍｍ（３区）とでは、全個体数密度に大きな差は見られず、植生基盤が厚い150ｍｍのほうが甲殻類（ミジンコなど）及び貧毛類が多くなる傾向が見られた。ヨシ及びマコモを植栽したものは、苗ポットの容積分、植生基盤の容積が減少したことも考えられるが、その分を考慮しても植生基盤だけの場合と比較して少なくなる傾向が見られた。
【実施例】
【００６５】
本発明の人工浮島による効果を確認するため、アオコ形成藍藻類のMicrocystisが優占化した富栄養池沼である埼玉県蓮田市山ノ神沼において、小規模隔離水界を用いた実証試験を実施した。ここでは、抽水植物の有無、植栽種、及び人工浮島の遮蔽率（水面積に対する人工浮島の面積の割合）と植物プランクトンの増殖抑制効果について得られた知見を示す。
【００６６】
山ノ神沼に遮水シートによる隔離水界（3.87ｍ×3.87ｍ＝15ｍ2，水深約1ｍ）を９基配置し、各隔離水界内に、表２に示すように、人工浮島を設置しない試験区のほか、2008年８月９日から１１月３日まで、遮蔽率及び植栽種の異なる人工浮島を設置した試験区を設定した。植栽種のうち、先に説明した実証試験１のとおり、マコモとヒメガマはアレロパシー効果のある植物であり、セキショウは、アレロパシー効果のない植物である。
【表２】
2010213578.tif 000004
【００６７】
なお、人工浮島の植生基盤は、表面の水深が5〜10ｃｍになるように設置した。また、植生基盤の多孔質材は、ポリエステル製三次元網目構造で、比表面積1,556ｍ2/ｍ3，連続空隙率98％の材料を使用し、植栽方法は、マコモ及びヒメガマは土壌ポット苗を使用し、セキショウは、土壌ポット植えすると生育不良を起こすため、苗のみを直接植生基盤に植え付ける方法で実施した。
【００６８】
なお、各試験区は、山ノ神沼の水位変動により隔離水界内外で水が出入りした。大雨で隔離水界が水没した後、水位が安定した９月５日から１１月３日までの水位変動による隔離水界内の水交換率は、日平均1.5％であった。
【００６９】
図２０は、実証試験開始後のＣｈｌ-ａ濃度の経時変化を示すものである。この図２０からわかるように、植栽しない人工浮島を設置した２区及び３区は、いずれも浮島なし（１区）と比較して減少傾向が見られ、遮蔽率10％の植生基盤のほうが遮蔽率5％の植生基盤よりＣｈｌ-ａ濃度が低減された。また、同じ遮蔽率の試験区を比較すると、アレロパシー効果を有するマコモ及びヒメガマを植栽した試験区は、植栽しない人工浮島を設置した２区及び３区と比較してＣｈｌ-ａ濃度が低減し、遮蔽率5％の植生基盤を有する人工浮島でも植物プランクトンの増殖を抑制できる結果が得られた。一方、アレロパシー効果のないセキショウを植栽した人工浮島を設置した８区及び９区については、植栽しない人工浮島を設置した２区及び３区と比較して遮蔽率5％（８区）で大差は見られず、遮蔽率10％（９区）では逆に増加傾向が見られた。
【００７０】
したがって、この実証試験の結果、アレロパシー効果を有する抽水植物のマコモ、ヒメガマを植栽した人工浮島を用いれば、実証試験６で確認された植生基盤による懸濁物質の付着・接触沈殿効果や、実証試験７で確認された動物プランクトンの増加による植物プランクトンの捕食・分解効果などとの複合作用によって、水面積に対して5％の人工浮島の面積（遮蔽率）、言い換えれば従来の人工浮島の1/6〜1/3程度の面積でも植物プランクトンの増殖を抑制できることが確認された。
【符号の説明】
【００７１】
１  人工浮島
１０  植生基盤
２０  フロート
２１，２３  水上フロート
２２，２４  水中フロート
３０  固定部材
４０  抽水植物
４１  根茎
５０  繋留具
６０  繋留杭
【図１】
2010213578.tif 000005
【図２】
2010213578.tif 000006
【図３】
2010213578.tif 000007
【図４】
2010213578.tif 000008
【図５】
2010213578.tif 000009
【図６】
2010213578.tif 000010
【図７】
2010213578.tif 000011
【図８】
2010213578.tif 000012
【図９】
2010213578.tif 000013
【図１０】
2010213578.tif 000014
【図１１】
2010213578.tif 000015
【図１２】
2010213578.tif 000016
【図１３】
2010213578.tif 000017
【図１４】
2010213578.tif 000018
【図１５】
2010213578.tif 000019
【図１６】
2010213578.tif 000020
【図１７】
2010213578.tif 000021
【図１８】
2010213578.tif 000022
【図１９】
2010213578.tif 000023
【図２０】
2010213578.tif 000024
【手続補正書】
【提出日】平成21年8月11日(2009.8.11)
【手続補正１】
【補正対象書類名】明細書
【補正対象項目名】００１１
【補正方法】変更
【補正の内容】
【００１１】
上述した技術的課題を有効に解決するための手段として、請求項１の発明に係る人工浮島は、三次元網目構造の多孔質材からなる植生基盤と、この植生基盤を水に浮かせた状態に支持する支持手段とからなる人工浮島であって、前記植生基盤に、植物プランクトンの増殖を抑制するアレロパシー物質を放出する抽水植物を植栽したことを特徴とするものである。ここでいうアレロパシー物質は、アオコの発生原因となる藍藻類のMicrocystisの増殖を抑制する作用を有するものであって、発明者の研究により、特に、ヒメガマ、ヨシ、クサヨシ、マコモ、フトイ、カンガレイ、カキツバタ、ハナショウブ、カサスゲから選択される抽水植物の放出するアレロパシー物質が、Microcystisの増殖の抑制に有効であることが確認された。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
請求項４の発明に係る人工浮島は、請求項１に記載の構成において、植生基盤が、7.5〜20ｃｍの厚さに形成されたことを特徴とするものである。
【手続補正４】
【補正対象書類名】明細書
【補正対象項目名】００１６
【補正方法】変更
【補正の内容】
【００１６】
請求項５の発明に係る人工浮島は、請求項１に記載の構成において、植生基盤を、表面が5ｃｍ〜15ｃｍの水深となるように水没させると共に植生基盤上を水が流通可能としたことを特徴とするものである。
【手続補正５】
【補正対象書類名】明細書
【補正対象項目名】００１７
【補正方法】変更
【補正の内容】
【００１７】
請求項６の発明に係る人工浮島は、請求項１に記載の構成において、植生基盤が、支持手段に固定されたフレームにネットを張った構造の支持体で支持されたことを特徴とするものである。
【手続補正６】
【補正対象書類名】明細書
【補正対象項目名】００１８
【補正方法】変更
【補正の内容】
【００１８】
請求項７の発明に係る人工浮島は、請求項１に記載の構成において、植生基盤への抽水植物の植栽が、織布又は不織布からなるポットに充填された土壌に苗株を植え付けた構造のポット苗を植生基盤に設置することによりなされたものであることを特徴とする。
【手続補正７】
【補正対象書類名】明細書
【補正対象項目名】００２０
【補正方法】変更
【補正の内容】
【００２０】
また、植生基盤を多孔質材からなる三次元網目構造としたことによって、抽水植物の根茎が発達しやすく、根茎から発生するアレロパシー物質を水中に放出しやすく、水が根茎に接触しやすくなるため、請求項１による効果を向上することができる。また、植物プランクトンや懸濁物質の付着、接触沈殿機能、動物プランクトンの増加による植物プランクトンの捕食機能が得られるため、アレロパシー効果との複合的な浄化機能によって、水面積に対して5％（従来の人工浮島の1/6〜1/3）程度の面積の人工浮島で、植物プランクトンの増殖を抑制して水質を浄化することができる。
【手続補正８】
【補正対象書類名】明細書
【補正対象項目名】００２１
【補正方法】変更
【補正の内容】
【００２１】
請求項４の発明に係る人工浮島によれば、植生基盤を、7.5〜20ｃｍの厚さに形成したことによって、地下茎が発達して群落を形成する抽水植物の生育に適したものとなるほか、植物プランクトンの接触沈殿効果や、植物プランクトンを捕食する動物プランクトンの増加に適するので、請求項１による効果を向上することができる。
【手続補正９】
【補正対象書類名】明細書
【補正対象項目名】００２２
【補正方法】変更
【補正の内容】
【００２２】
請求項５の発明に係る人工浮島によれば、植生基盤を、その表面が5ｃｍ〜15ｃｍの水深となるように水没させると共に植生基盤上で水が流通可能とすることによって、夏季の植生基盤又は表面水温の上昇を抑制すると共に、陸上雑草の繁茂による抽水植物の生育阻害を防止することができるため、請求項１による効果を向上することができる。
【手続補正１０】
【補正対象書類名】明細書
【補正対象項目名】００２３
【補正方法】変更
【補正の内容】
【００２３】
請求項６の発明に係る人工浮島によれば、植生基盤が、支持手段に固定されたフレームにネットを張った構造の支持体で支持されたことによって、植物プランクトン等の懸濁物を含んだ水を効率よく植生基盤材に接触させることができ、アレロパシー物質が水中に放出されやすくなるほか、前記懸濁物が植生基盤材の表面に付着し沈降しやすい大きさに凝集してその沈降を促進させることができるので、請求項１による効果を向上することができる。
【手続補正１１】
【補正対象書類名】明細書
【補正対象項目名】００２４
【補正方法】変更
【補正の内容】
【００２４】
請求項７の発明に係る人工浮島によれば、抽水植物の苗株が生育しやすくなるので、請求項１による効果を向上することができる。
【手続補正１２】
【補正対象書類名】特許請求の範囲
【補正対象項目名】全文
【補正方法】変更
【補正の内容】
【特許請求の範囲】
【請求項１】
三次元網目構造の多孔質材からなる植生基盤と、この植生基盤を水に浮かせた状態に支持する支持手段とからなる人工浮島であって、前記植生基盤に、植物プランクトンの増殖を抑制するアレロパシー物質を放出する抽水植物を植栽したことを特徴とする人工浮島。
【請求項２】
支持手段が所要数のフロートからなることを特徴とする請求項１に記載の人工浮島。
【請求項３】
支持手段が植生基盤と水底との間を繋留する繋留具又は繋留杭からなることを特徴とする請求項１に記載の人工浮島。
【請求項４】
植生基盤が、7.5〜20ｃｍの厚さに形成されたことを特徴とする請求項１に記載の人工浮島。
【請求項５】
植生基盤を、表面が5ｃｍ〜15ｃｍの水深となるように水没させると共に植生基盤上を水が流通可能としたことを特徴とする請求項１に記載の人工浮島。
【請求項６】
植生基盤が、支持手段に固定されたフレームにネットを張った構造の支持体で支持されたことを特徴とする請求項１に記載の人工浮島。
【請求項７】
植生基盤への抽水植物の植栽が、織布又は不織布からなるポットに充填された土壌に苗株を植え付けた構造のポット苗を植生基盤に設置することによりなされたものであることを特徴とする請求項１に記載の人工浮島。
【手続補正書】
【提出日】平成21年12月1日(2009.12.1)
【手続補正１】
【補正対象書類名】明細書
【補正対象項目名】全文
【補正方法】変更
【補正の内容】
【発明の詳細な説明】
【技術分野】
【０００１】
本発明は、植物を栽培した人工浮島を用いて植物プランクトンの増殖を抑制することにより水質を浄化する技術に関する。
【背景技術】
【０００２】
従来、湖沼などの水質を浄化する方法として、植栽した人工浮島を用いる技術が知られている。
【０００３】
この種の人工浮島に植栽する抽水植物としては、景観や流域で採取可能かにより選定されており、具体的には、キショウブ、ハナショウブ、カキツバタ、セキショウ、ヨシ、ガマ、ミクリなどが好適に用いられている。
【０００４】
また従来、この種の人工浮島の構造は、浮体（フロート）と植生基盤とを分離した構造か一体化した構造の２種類に分類される。このうち、浮体と植生基盤とを分離した構造のものは、例えば下記の特許文献１に開示されているように、植生基盤の周囲に中空パイプ又は水に浮く素材のフレーム状のフロートを設け、このフロートにネットを設置して、フロート内の植生基盤を支持する方法や、あるいは、下記の特許文献２に開示されているように、発砲スチロールや中空コンクリート箱などの浮体上に土壌やヤシ繊維などの植生基盤を設ける方法が知られている。
【０００５】
また、フロートと植生基盤を一体とする方法は、例えば下記の非特許文献１，２のように、ヤシ繊維などの軽量な植生基盤内に発泡スチロールなどのフロートを設置する方法が知られている。
【先行技術文献】
【特許文献】
【０００６】
【特許文献１】特開平７−７９６５２号公報
【特許文献２】特開平６−３４３３５８号公報
【非特許文献】
【０００７】
【非特許文献１】パンフレット「バイオコズモ」，ゼニヤ海洋サービス（株）
【非特許文献２】パンフレット「ビオシスアイランド」，トスコ（株），2000年4月
【発明の概要】
【発明が解決しようとする課題】
【０００８】
しかしながら、従来の人工浮島による植物プランクトンの増殖抑制機能は、水面を遮蔽することによる遮光効果を利用することが主体であり、植物の種類や植生基盤構造に対する植物プランクトンの増殖抑制をはじめとした水質浄化機能が充分考慮されていなかった。このため、湖沼等の植物プランクトンの増殖を有効に抑制するためには水面積の15〜30％以上の面積の人工浮島が必要であった。
【０００９】
また、従来の人工浮島は、植生基盤が水面から露出する構造のものが多いため、夏季に植生基盤の表面が高温となり、抽水植物の生育に悪影響が出ることがあった。あるいは特許文献１のような構造の場合も、フロートで囲まれた植生基盤の表面の水温が夏季に上昇し、植物の生育に悪影響が出るおそれがあった。
【００１０】
本発明は、以上のような点に鑑みてなされたものであって、その技術的課題とするところは、水面積に対する人工浮島の面積率が小さくても植物プランクトンの増殖を有効に抑制して水質浄化機能を高めることの可能な人工浮島を提供することにある。
【課題を解決するための手段】
【００１１】
上述した技術的課題を有効に解決するための手段として、請求項１の発明に係る人工浮島は、三次元網目構造の多孔質材からなる植生基盤と、この植生基盤を水に浮かせた状態に支持する支持手段とからなる人工浮島であって、前記植生基盤に、植物プランクトンの増殖を抑制するアレロパシー物質を放出するヒメガマ、クサヨシ、マコモ、カサスゲから選択される抽水植物を植栽したことを特徴とするものである。ここでいうアレロパシー物質は、アオコの発生原因となる藍藻類のMicrocystisの増殖を抑制する作用を有するものであって、発明者の研究により、上記ヒメガマ、クサヨシ、マコモ、カサスゲの放出するアレロパシー物質が、Microcystisの増殖の抑制に有効であることが確認された。
【発明の効果】
【００１２】
請求項１の発明に係る人工浮島によれば、人工浮島による遮光機能に加え、人工浮島の植生基盤に植栽されたヒメガマ、クサヨシ、マコモ、カサスゲから選択される抽水植物がその根茎から放出するアレロパシー物質によって、アオコの発生原因となる藍藻類のMicrocystisの増殖が有効に抑制されるため、水質を浄化することができる。
【００１３】
また、植生基盤を多孔質材からなる三次元網目構造としたことによって、抽水植物の根茎が発達しやすく、根茎から発生するアレロパシー物質を水中に放出しやすく、水が根茎に接触しやすくなるため、請求項１による効果を向上することができる。また、植物プランクトンや懸濁物質の付着、接触沈殿機能、動物プランクトンの増加による植物プランクトンの捕食機能が得られるため、アレロパシー効果との複合的な浄化機能によって、水面積に対して5％（従来の人工浮島の1/6〜1/3）程度の面積の人工浮島で、植物プランクトンの増殖を抑制して水質を浄化することができる。
【図面の簡単な説明】
【００１４】
【図１】本発明に係る人工浮島の第一の形態を示す平面図である。
【図２】図１のII−II’断面図である。
【図３】図１のIII−III’断面図である。
【図４】植生基盤への抽水植物の苗株の植え付け方法を示す説明図である。
【図５】本発明に係る人工浮島の第二の形態を示す平面図である。
【図６】図５のＶ−Ｖ’断面図である。
【図７】本発明に係る人工浮島の第三の形態を示す平面図である。
【図８】図７のVII−VII’断面図である。
【図９】図７のVIII−VIII’断面図である。
【図１０】本発明に係る人工浮島の第四の形態を示す平面図である。
【図１１】本発明に係る人工浮島の第五の形態を示す平面図である。
【図１２】抽水植物によるアレロパシー効果を確認するための室内試験の方法を示す説明図である。
【図１３】アレロパシー効果を確認するための室内試験の結果を示す説明図である。
【図１４】アレロパシー効果を確認するための現地調査の結果を示す説明図である。
【図１５】抽水植物の苗株の植え付けに際して、土壌の有無が抽水植物の生育に及ぼす影響を把握するための屋外栽培試験の結果を示す説明図である。
【図１６】抽水植物の苗株の植え付けに際して、土壌の有無が抽水植物の生育に及ぼす影響を把握するための現地調査による試験の結果を示す説明図である。
【図１７】現地調査による人工浮島の下の新生堆積物を調査した結果を示す説明図である。
【図１８】現地調査による人工浮島の下の新生堆積物を調査した結果を示す説明図である。
【図１９】植物プランクトンの捕食・分解効果のある動物プランクトンの増加について現地調査した結果を示す説明図である。
【図２０】本発明の人工浮島による実証試験開始後のＣｈｌ-ａ濃度の経時変化を示す説明図である。
【発明を実施するための形態】
【００１５】
以下、本発明に係る人工浮島の好ましい実施の形態について、図面を参照しながら詳細に説明する。まず図１〜図３は、第一の形態を示すものである。
【００１６】
図１〜図３に示されるように、第一の形態による人工浮島１は、植生基盤１０と、この植生基盤１０を水に浮かせる水上フロート２１及び水中フロート２２からなるフロート２０と、このフロート２０を前記植生基盤１０に連結する固定部材３０からなる。すなわち、植生基盤１０は、固定部材３０を介して水上フロート２１及び水中フロート２２により適当な水深ｄ（図３参照）で水Ｗに浮いた状態に支持されており、植生基盤１０には、植物プランクトンの増殖を抑制するアレロパシー物質を放出する抽水植物４０が植栽されている。
【００１７】
人工浮島１による水質浄化に有効な作用としては、遮光作用のほか、植生基盤１０に植栽した抽水植物４０によるアレロパシー作用や、植物プランクトン等の懸濁物質の接触沈殿作用、及び動物プランクトンの増加による植物プランクトンの捕食・分解作用が挙げられる。
【００１８】
これらの作用を最大限に発揮させるため、本発明では、アオコの発生原因となる藍藻類のMicrocystisの増殖を抑制するアレロパシー物質を放出する抽水植物４０を選定し、植生基盤１０に植栽する。Microcystisの増殖を抑制するアレロパシー効果を有する抽水植物４０としては、ヒメガマ、クサヨシ、マコモ、カサスゲがあり、これらの中から、浄化対象水域で入手して移植可能なものや、圃場等で栽培して使用する。
【００１９】
植生基盤１０としては、比表面積の大きい多孔質材を使用することにより、水中の懸濁物質が付着する面積が増え、付着した懸濁物が沈降しやすい大きさに凝集するので、沈降を促進することができる。具体的には、植生基盤１０には、比表面積が1,000〜2,000ｍ2/ｍ3、連続空隙率が80％以上で、対候性の高いポリエステル製又は塩化ビニール製の繊維からなるマット状のものを使用する。
【００２０】
また、植生基盤１０への抽水植物４０の植栽は、図４に示されるように、織布又は不織布からなるポット１１に市販の園芸用土などからなる土壌１２を充填して、この土壌１２に抽水植物の苗株４０ａを植え付け、これを図１に示されるように植生基盤１０に縦横に設置することによりなされる。これは、ポット１１を用いて植え付けることによって、植生基盤１０の活着率が格段に向上するからである。植え付けられた抽水植物４０は、図２及び図３に示されるように、根茎４１が前記ポット１１を通して植生基盤１０へ、さらには植生基盤１０から水中へ伸びていくことができる。
【００２１】
ここで、植生基盤１０の連続空隙率が80％未満であったり空隙サイズが細か過ぎたりした場合は、沈降した汚泥が植生基盤１０内に堆積して目詰まりを起こすのに対し、連続空隙率を80％以上とすることにより、植生基盤１０内の汚泥の堆積を防止し、水Ｗとの接触効率を維持することができる。また、連続空隙率80％以上を確保でき、植生基盤１０の強度が抽水植物４０の倒伏に耐える繊維強度を考慮すると、植生基盤１０の樹脂量は16ｋｇ/ｍ3以上とすることが必要である。また、その場合の比表面積は1,000ｍ2/ｍ3である。つまり、比表面積が1,000ｍ2/ｍ3未満である場合は、植生基盤１０が軟らか過ぎて、成長した抽水植物４０が風荷重により倒伏するおそれがある。また逆に、比表面積が2,000ｍ2/ｍ3を超えると、植生基盤１０の連続空隙サイズが細かくなりすぎ、懸濁物が目詰まりしやすくなる。したがって、植生基盤１０には、比表面積が1,000〜2,000ｍ2/ｍ3、連続空隙率が80％以上のものを使用する。
【００２２】
フロート２０（水上フロート２１及び水中フロート２２）は、例えば、塩化ビニール製のパイプ、あるいは繊維強化プラスチックからなるパイプ等で形成されたものであって、中空であるため浮力が十分に大きいものとなっている。このうち水上フロート２１は、図１に示されるように、平面形状が正方形又は長方形状を呈する植生基盤１０の互いに対向する２辺に沿って、その長さと略同等の長さのものが一対配置されており、水中フロート２２は水上フロート２１と略直交するように延び、図２及び図３に示されるように、植生基盤１０の下側で水中に没した状態に一対配置されている。
【００２３】
固定部材３０は、植生基盤１０の外周部を支持する溶融亜鉛メッキ鋼製の外周フレーム３１と、この外周フレーム３１の下面に平面的に張られ、ポリエチレン等の合成樹脂製や防錆塗装した鋼製あるいはステンレス製などの目合25〜100ｍｍのネット３２と、このネット３２が下方へ撓まないように外周フレーム３１の下面に架設された溶融亜鉛メッキ鋼製の所要数の梁状フレーム３３と、外周フレーム３１に水上フロート２１を取り付ける溶融亜鉛メッキ鋼製の水上フロート取付部材３４と、梁状フレーム３３の下側に水中フロート２２を取り付ける溶融亜鉛メッキ鋼製の水中フロート取付部材３５とを備える。そしてこのような構造の固定部材３０で植生基盤１０を支持することで、植生基盤１０が水中に没した状態に設置され、植物プランクトン等の懸濁物を含んだ水Ｗを効率よく植生基盤１０に接触できるようになっている。
【００２４】
また、水上フロート２１が配置されていない側から、浄化対象の水域の水Ｗが植生基盤１０上に自由に流通することができるため、水中の植物プランクトン等の懸濁物質が植生基盤１０の表面に沈降すると共に、繁茂した抽水植物４０に付着・沈降する作用が促進される。
【００２５】
好ましくは、植生基盤１０の上面が水深5〜15ｃｍとなるようにする。これは、水深ｄが15ｃｍを超えると抽水植物４０の生育に悪影響が出やすくなり、5ｃｍ未満では、植生基盤１０の上面を水Ｗが流れにくくなって、水中の植物プランクトン等の懸濁物質が植生基盤１０に沈降して抽水植物４０に付着・沈降する作用が得られなくなったり、夏季に植生基盤１０上の水温が上昇して抽水植物４０の生育に悪影響が出るおそれがあるからである。
【００２６】
以上のような構成を備える第一の形態の人工浮島１によれば、自然湖沼、ため池、都市公園等の閉鎖性水域で、アオコ形成藍藻類のMicrocystis等の植物プランクトンが異常増殖することによって、水質が汚濁している状況に対して、効率よく水質の浄化を図ることができる。これは、植生基盤１０に植栽したヒメガマ、クサヨシ、マコモ、カサスゲから選択される抽水植物４０の根茎４１から水中へ放出されるアレロパシー物質が、前記Microcystis等の植物プランクトンの増殖を抑制すると共に、前記植物プランクトン等の懸濁物質が植生基盤１０に沈降して抽水植物４０に付着・沈降し、このためアオコなどの発生が抑えられるからである。しかも、比表面積の大きい三次元網目構造体からなる植生基盤１０の表面や空隙内にミジンコやワムシ等の動物プランクトンや、バクテリアが棲息し、これらの微小動物が植物プランクトン等を捕食し、分解する機能が向上するからである。
【００２７】
したがって、浄化対象となる閉鎖性水域の水面積の5％〜10％の面積の人工浮島１でも、透明度を改善し、有機汚濁を防止すると共に、栄養塩濃度を低減することができる。
【００２８】
次に、図５及び図６は、本発明に係る人工浮島の第二の形態を示すものである。この第二の形態による人工浮島１も、植生基盤１０と、この植生基盤１０を水Ｗに浮かせるフロート２０と、このフロート２０を前記植生基盤１０に連結する固定部材３０からなる。すなわち、植生基盤１０は、固定部材３０を介してフロート２０により適当な水深で水Ｗに浮いた状態に支持されており、植生基盤１０には、植物プランクトンの増殖を抑制するアレロパシー物質を放出する抽水植物４０が植栽されている。
【００２９】
フロート２０は、植生基盤１０の外周縁に沿ってその上部を枠状に延びる水上フロート２３及び水中フロート２４からなり、上下に適当な間隔をもってバンド２５で互いに結合されている。
【００３０】
水中フロート２４には、図６に示されるように、固定部材３０として硬質のネットで形成したかご３６が取り付けられており、植生基盤１０は、このかご３６内に設置されている。すなわち植生基盤１０はフロート２０の浮力によって、かご３６を介して支持されることで、植生基盤１０が水中に没した状態に設置され、植物プランクトン等の懸濁物を含んだ水Ｗを効率よく植生基盤１０に接触できるようになっている。
【００３１】
そしてこの場合、図６に示されるように水中フロート２４は水没した状態にあり、水上フロート２３との間の隙間δから、浄化対象の水域の水Ｗが植生基盤１０上に自由に流通することができるようになっており、この場合も、植生基盤１０の上面が水面下5〜15ｃｍとなるようにする。このため、水中の植物プランクトン等の懸濁物質が植生基盤１０の表面に沈降すると共に、繁茂した抽水植物４０に付着・沈降する作用が促進される。
【００３２】
なお、植生基盤１０は、先に説明した第一の形態と同様のものであり、抽水植物４０の植栽方法なども、第一の形態と同様に行うことができる。したがって、第一の形態と同様の作用・効果が実現できる。
【００３３】
次に、図７〜図９は、本発明に係る人工浮島の第三の形態を示すものである。この第三の形態において先に説明した第一の形態と異なるところは、フロート２０における水上フロート２１が、平面形状が正方形又は長方形状を呈する植生基盤１０の四隅近傍に配置されたことにある。その他の部分の構成は、基本的に第一の形態と略同等であり、第一の形態と同様の作用・効果が実現できる。
【００３４】
次に図１０は、本発明に係る人工浮島の第四の形態を示すものである。上述の各形態では、フロート２０が水上フロート２１（２３）及び水中フロート２２（２４）からなるものであるのに対し、第四の形態ではフロート２０が水中フロート２２のみからなり、水底（池や沼の底部地盤）Ｇに打ち込んだアンカー５１と、下端がこのアンカー５１繋着され上端が固定部材３０に繋着された繋留ロープ５２とからなる繋留具５０を介して、適当な水深ｄ（先に説明したように、5〜15ｃｍ）で水Ｗに浮いた状態に繋留している。その他の部分は、基本的に第一の形態と略同様に構成することができる。
【００３５】
また図１１は、本発明に係る人工浮島の第五の形態を示すものである。この形態は、上記第四の形態における繋留具５０に代えて、水底Ｇに打ち込んだ繋留杭６０によって、植生基盤１０を介して、適当な水深ｄで水Ｗに浮いた状態に繋留している。その他の部分は、基本的に第一の形態と略同様に構成することができる。
【００３６】
そして、これら第四又は第五の形態によれば、繋留具５０又は繋留杭６０によって水底Ｇからの浮上高さが一定に保たれるので、水位が一定の池沼において、植生基盤１０の上面の水深ｄを一定とする手段として好適に採用可能である。
【００３７】
本発明の人工浮島による効果を確認するための種々の実証試験を行ったので、以下に説明する。
【００３８】
実証試験１：
抽水植物によるアレロパシー効果を確認するための室内試験を行った。この試験では、抽水植物としてキショウブ、セキショウ、クサヨシ、マコモ、マツカサススキ、ヒメガマの６種類を用いた。
【００３９】
試験の方法は、図１２に示されるように、バケツ１０１内に水１０３を入れ、その上に植生基盤１０２を設置し、抽水植物１０４をポット植えにより栽培した後、バケツ１０１及び植生基盤１０２を洗浄し、バケツ１０１内の培地（水１０３）を交換してビニールハウス内で１週間栽培した。１週間後、前記水１０３を0.25μｍの濾紙で濾過した水を使用し、バイオアッセイ手法によりアオコ形成藍藻類のMicrocystisの比増殖速度を調査することによって、アレロパシーによる増殖抑制効果があるかを確認した。
【００４０】
この試験の結果、図１３に示されるように、マツカサススキ、キショウブ、セキショウを栽培した水では、アレロパシー効果のないことが確認されている対照植物との比較において、アオコ形成藍藻類の比増殖速度の有意な低下はみられないが、ヒメガマ、クサヨシ、マコモを栽培した水では比増殖速度が有意に低下することが確認された。
【００４１】
実証試験２：
抽水植物によるアレロパシー効果を確認するための現地試験を行った。試験の方法は、蓮田市山ノ神沼に設置した隔離水界（1,000ｍ2，平均水深：約1.2ｍ）内に設置した人工浮島の抽水植物の根茎付近、人工浮島のない隔離水界内、及び隔離水界外の池沼で採水し、実施例１と同様にバイオアッセイ手法によりアオコ形成藍藻類のMicrocystisの比増殖速度を調査することによって、アレロパシーによる増殖抑制効果を確認した。なお、人工浮島としては、ヒメガマを植栽したもの、マコモを植栽したもの、カサスゲを植栽したものの３種類の人工浮島を用いた。
【００４２】
この試験の結果、図１４に示されるように、３種類の抽水植物を植栽した人工浮島のいずれにもアレロパシー効果が確認され、人工浮島のない水域や隔離水界外では効果が見られなかった。そしてこれら３種類の抽水植物のうち、カサスゲが最も大きなアレロパシー効果を有するという結果が得られた。
【００４３】
実証試験３
地下茎の発達に適した植生基盤の厚さを調査するため、屋外に設置したプール（2ｍ×3ｍ，水深約50ｃｍ）に、厚さが10ｃｍ，15ｃｍ，20ｃｍでそれぞれ平面形状が30ｃｍ×30ｃｍの正方形の植生基盤に抽水植物をポット植えし、栽培試験を行った。抽水植物は、ヒメガマ、マコモの２種類とした。
【００４４】
試験結果、抽水植物の根茎は、種類により植生基盤の側面から出ているものが見られ、植生基盤表面からの深度でヒメガマは10〜15ｃｍ，マコモは5〜16ｃｍの深さで根茎が成長することがわかった。すなわち試験結果から、地下茎が発達する抽水植物の根茎は、5ｃｍ〜16ｃｍの深度に分布することがわかった。したがって、植生基盤の厚さは、植物の種類に応じて7.5ｃｍ（植物ポット苗の大きさ以上）〜20ｃｍ（基盤表面から地下茎が発達する深度）程度とすることが好ましいことが確認された。
【００４５】
実証試験４：
抽水植物の苗株の植え付けに際して、土壌の有無が抽水植物の生育に及ぼす影響を把握するための屋外栽培試験を行った。試験の方法は、屋外に設置したプール（2ｍ×3ｍ，水深：約50ｃｍ）に、土壌を充填したヤシ繊維ポットに抽水植物の苗株を植え付けたポット苗と、ポット及び土壌なしの苗株をそれぞれ植生基盤材に設置し、苗株の成長量を測定した。抽水植物は、マコモ、キショウブの２種類とした。
【００４６】
試験の結果、植栽して２年経過後の植物体の乾燥重量（各２株の平均値）を測定したところ、図１５に示されるように、ヤシポットに土壌を充填して植栽した苗株は、土壌なしの場合と比較して地上部、根茎いずれも成長量に著しい差が見られ、苗株に土壌ポットが有効であることが確認された。
【００４７】
実証試験５：
また、実際の池沼の植生浮島に抽水植物の苗株を植え付けるに際して、土壌の有無が抽水植物の生育に有効かを確認するための現地調査による試験を行った。この試験では、蓮田市山ノ神沼に設置した隔離水界（1,000ｍ2，平均水深：約1.2ｍ）内に設置した人工浮島の抽水植物の活着率を調査した。なお、人工浮島としては、ヒメガマを植栽したもの、マコモを植栽したもの、カサスゲを植栽したものの３種類の人工浮島を用いた。
【００４８】
試験の結果、図１６に示されるように、抽水植物は３種類とも土壌ポットで植栽した方が活着率はよく、土壌を用いないものはマコモ以外の植物の活着率が極端に悪化することがわかった。
【００４９】
実証試験６：
浮泥が堆積し微細藻類（優占種Chroococcus sp.）が異常増殖した富栄養池沼である蓮田市山ノ神沼内に、遮水シートで締め切った隔離水域（15ｍ2）を５基設置し、それぞれの隔離水域に、表１のように、構造の異なる人工浮島（1.5ｍ2/１基）を設置し（人工浮島には比表面積が1,556ｍ2/ｍ3、連続空隙率98％、厚さが7.5ｃｍと15ｃｍのポリエステル製の植生基盤を用いた）、各人工浮島の下の新生堆積物を調査した。新生堆積物の調査は、週２回の頻度で約２ヶ月間実施し、セディメントトラップ内の水質と調査時に採取した隔離水界内の水質との差より測定した。
【表１】
2010213578.tif 000025
【００５０】
新生堆積物速度は、水質の影響を強く受けることから、水質と堆積物速度との比を堆積物速度指数ＳＶＩ（水質（ｇ・ｍ-3）/堆積物速度(ｇ・ｍ-2・ｄ-1)：単位水量の物質を堆積するのに必要な日数(ｄ・ｍ-1)）として、浮島構造の違いによる懸濁物質の沈降促進効果を評価した。その結果、ＳＳ（懸濁物質）及びＣｈｌ-ａ（クロロフィル−ａ）のＳＶＩと隔離水界内の濃度との関係を図１７及び図１８に示すように、各試験区の近似曲線を比較すると、ＳＳ及びＣｈｌ-ａ共に人工浮島なし（１区）と比較して２区〜５区ではＳＶＩが削減され、沈降促進効果が見られた。特に、吊り接触材（５区）のＳＶＩ削減効果が高かった。人工浮島が多孔質樹脂マットからなる植生基盤を用いた２区〜４区では、ＳＳについては植生基盤を水面に設置した４区のＳＶＩ削減効果が高かったが、Ｃｈｌ-ａは水没させた２区及び３区のＳＶＩ削減効果が高かった。また、植生基盤の厚さが15cmの３区の方が、7.5cmの２区と比較してＳＶＩ削減効果がいずれの項目も若干高かったが、顕著な効果の差異は見られなかった。
【００５１】
すなわち、植生基盤の厚さが7.5ｃｍと15ｃｍのいずれの人工浮島を設置した場合も、人工浮島のない隔離水域（１区）と比較して新生堆積物速度は増加したが、植生基盤の厚さが２倍違うにも拘わらず、新生堆積物速度に大きな差異は見られなかった。このことから、植生基盤の密度（比表面積）及び植生基盤の厚さは、単位面積当たりの基盤密度が高すぎても基盤内に懸濁物が蓄積し、接触沈殿が起きにくくなり、単位面積当たりの基盤密度が低すぎても効果が低下することが確認された。このことから、植生基盤の比表面積は1,000〜2,000ｍ2/ｍ3が適切と考えられ、植生基盤の厚さが7.5ｃｍを超える場合は考慮する必要はないことがわかる。
【００５２】
実証試験７：
また、動物プランクトンの増加による植物プランクトンの捕食・分解効果について検証した。その方法としては、蓮田市山ノ神沼内に、下記のような１区〜４区の隔離水域（1,000ｍ2）を設け、２区〜４区については、植生基盤の厚さ及び植栽条件のなるポリエステル製多孔質マット（比表面積1,556ｍ2/ｍ3，連続空隙率98％，45ｃｍ×50ｃｍ）を植生基盤表面の水深が約5ｃｍになるように設置し、約１年後の夏に回収して植生基盤内の動物プランクトンを洗い出し、目合0.1ｍｍのプランクトンネットで捕集した動物プランクトンを全量定量分析し、植生基盤の厚さ及び植物の有無による動物プランクトンの現存量の差異を調査した。
１区：浮島なし
２区：植生基盤75ｍｍ厚
３区：植生基盤150ｍｍ厚
４区：植生基盤75ｍｍ厚，マコモ４株植栽
【００５３】
調査の結果、図１９に示されるように、人工浮島の植生基盤内には、人工浮島がない水域（１区）と比較して動物プランクトンが種類・個体数いずれも著しく増加した。また、植生基盤の厚さが75ｍｍ（２区）と150ｍｍ（３区）とでは、全個体数密度に大きな差は見られず、植生基盤が厚い150ｍｍのほうが甲殻類（ミジンコなど）及び貧毛類が多くなる傾向が見られた。マコモを植栽したものは、苗ポットの容積分、植生基盤の容積が減少したことも考えられるが、その分を考慮しても植生基盤だけの場合と比較して少なくなる傾向が見られた。
【実施例】
【００５４】
本発明の人工浮島による効果を確認するため、アオコ形成藍藻類のMicrocystisが優占化した富栄養池沼である埼玉県蓮田市山ノ神沼において、小規模隔離水界を用いた実証試験を実施した。ここでは、抽水植物の有無、植栽種、及び人工浮島の遮蔽率（水面積に対する人工浮島の面積の割合）と植物プランクトンの増殖抑制効果について得られた知見を示す。
【００５５】
山ノ神沼に遮水シートによる隔離水界（3.87ｍ×3.87ｍ＝15ｍ2，水深約1ｍ）を９基配置し、各隔離水界内に、表２に示すように、人工浮島を設置しない試験区のほか、2008年８月９日から１１月３日まで、遮蔽率及び植栽種の異なる人工浮島を設置した試験区を設定した。植栽種のうち、先に説明した実証試験１のとおり、マコモとヒメガマはアレロパシー効果のある植物であり、セキショウは、アレロパシー効果のない植物である。
【表２】
2010213578.tif 000026
【００５６】
なお、人工浮島の植生基盤は、表面の水深が5〜10ｃｍになるように設置した。また、植生基盤の多孔質材は、ポリエステル製三次元網目構造で、比表面積1,556ｍ2/ｍ3，連続空隙率98％の材料を使用し、植栽方法は、マコモ及びヒメガマは土壌ポット苗を使用し、セキショウは、土壌ポット植えすると生育不良を起こすため、苗のみを直接植生基盤に植え付ける方法で実施した。
【００５７】
なお、各試験区は、山ノ神沼の水位変動により隔離水界内外で水が出入りした。大雨で隔離水界が水没した後、水位が安定した９月５日から１１月３日までの水位変動による隔離水界内の水交換率は、日平均1.5％であった。
【００５８】
図２０は、実証試験開始後のＣｈｌ-ａ濃度の経時変化を示すものである。この図２０からわかるように、植栽しない人工浮島を設置した２区及び３区は、いずれも浮島なし（１区）と比較して減少傾向が見られ、遮蔽率10％の植生基盤のほうが遮蔽率5％の植生基盤よりＣｈｌ-ａ濃度が低減された。また、同じ遮蔽率の試験区を比較すると、アレロパシー効果を有するマコモ及びヒメガマを植栽した試験区は、植栽しない人工浮島を設置した２区及び３区と比較してＣｈｌ-ａ濃度が低減し、遮蔽率5％の植生基盤を有する人工浮島でも植物プランクトンの増殖を抑制できる結果が得られた。一方、アレロパシー効果のないセキショウを植栽した人工浮島を設置した８区及び９区については、植栽しない人工浮島を設置した２区及び３区と比較して遮蔽率5％（８区）で大差は見られず、遮蔽率10％（９区）では逆に増加傾向が見られた。
【００５９】
したがって、この実証試験の結果、アレロパシー効果を有する抽水植物のマコモ、ヒメガマを植栽した人工浮島を用いれば、実証試験６で確認された植生基盤による懸濁物質の付着・接触沈殿効果や、実証試験７で確認された動物プランクトンの増加による植物プランクトンの捕食・分解効果などとの複合作用によって、水面積に対して5％の人工浮島の面積（遮蔽率）、言い換えれば従来の人工浮島の1/6〜1/3程度の面積でも植物プランクトンの増殖を抑制できることが確認された。
【符号の説明】
【００６０】
１  人工浮島
１０  植生基盤
２０  フロート
２１，２３  水上フロート
２２，２４  水中フロート
３０  固定部材
４０  抽水植物
４１  根茎
５０  繋留具
６０  繋留杭
【手続補正２】
【補正対象書類名】特許請求の範囲
【補正対象項目名】全文
【補正方法】変更
【補正の内容】
【特許請求の範囲】
【請求項１】
三次元網目構造の多孔質材からなる植生基盤と、この植生基盤を水に浮かせた状態に支持する支持手段とからなる人工浮島であって、前記植生基盤に、植物プランクトンの増殖を抑制するアレロパシー物質を放出するヒメガマ、クサヨシ、マコモ、カサスゲから選択される抽水植物を植栽したことを特徴とする人工浮島。
【手続補正３】
【補正対象書類名】図面
【補正対象項目名】図１３
【補正方法】変更
【補正の内容】
【図１３】
2010213578.tif 000027
【手続補正４】
【補正対象書類名】図面
【補正対象項目名】図１４
【補正方法】変更
【補正の内容】
【図１４】
2010213578.tif 000028
【手続補正５】
【補正対象書類名】図面
【補正対象項目名】図１５
【補正方法】変更
【補正の内容】
【図１５】
2010213578.tif 000029
【手続補正６】
【補正対象書類名】図面
【補正対象項目名】図１６
【補正方法】変更
【補正の内容】
【図１６】
2010213578.tif 000030
【手続補正７】
【補正対象書類名】図面
【補正対象項目名】図１９
【補正方法】変更
【補正の内容】
【図１９】
2010213578.tif 000031